(57)【要約】【課題】被貼付体に装飾フィルムを貼り付けるときに装飾フィルムに局部的な歪みが生じることを防止できる装飾フィルムの貼り付け方法を提供する。【解決手段】被貼付体１００の凸曲面１０１に装飾フィルム１１を貼り付けるときに、アプリケーションフィルム１４の外縁部１５を、少なくとも３つの把持部材６で互いにほぼ等間隔の位置になるように把持し、その把持部材６で、装飾フィルム１１を伸び率が全体的にほぼ均等な値となるように延伸し、被貼付体１００をその装飾フィルム１１に向けて移動させるとともに、把持部材６を装飾フィルム１１を把持した状態で内側方向に移動させることにより、装飾フィルム１１の伸び率を均等値にほぼ保持した状態で、被貼付体１００に装飾フィルムを連続的に貼り付ける。【選択図】図１
2005054057.tif 000002
【特許請求の範囲】
【請求項１】
凸曲面を有する被貼付体の前記凸曲面に、装飾層及び粘着層を有する装飾フィルムを前記粘着層側から貼り付ける装飾フィルムの貼り付け方法であって、
前記装飾フィルムを、前記装飾層側から、前記装飾フィルムよりも表面積の大きなアプリケーションテープの表面上の、前記アプリケーションテープの外周よりも内側の領域に位置させて、前記アプリケーションテープの外縁部を露出させた状態で積層した積層体とし、
前記アプリケーションテープの外縁部を、所定箇所に固定された把持部材を用いて、前記外縁部の、互いにほぼ等間隔に位置する少なくとも３箇所で把持し、
前記把持部材を、前記アプリケーションテープを把持した状態で、前記アプリケーションテープのほぼ中心部分から前記外縁部に向かう方向（外側方向）に移動させることによって、前記積層体を構成する前記装飾フィルムを、前記外側方向の伸び率が全体的にほぼ均等な所定範囲内の値となるように延伸し、
前記被貼付体を、延伸された前記積層体を構成する前記装飾フィルムの前記粘着層に向けて移動させるとともに、それぞれの前記把持部材を、前記アプリケーションテープを把持した状態で内側方向に移動させることによって、前記積層体を構成する前記装飾フィルムの前記外側方向の伸び率を前記均等値にほぼ保持した状態で、前記被貼付体の前記凸曲面の先端部を、前記装飾フィルムの前記粘着層の貼り付け対応部分に当接させ、次いで、前記凸曲面の、前記貼り付け対応部分に当接した前記先端部からその隣接部分に向って、前記装飾フィルムの前記粘着層を連続的に貼り付ける装飾フィルムの貼り付け方法。
【請求項２】
前記アプリケーションテープの外縁部を、前記把持部材を用いて、前記外縁部の、互いにほぼ等間隔に位置する８箇所で把持する請求項１に記載の装飾フィルムの貼り付け方法。
【請求項３】
前記積層体を構成する前記装飾フィルムの前記外側方向の伸び率を３〜３０％の値となるように延伸する請求項１又は２に記載の装飾フィルムの貼り付け方法。
【請求項４】
前記被貼付体を、前記装飾フィルムの前記粘着層に向けて所定距離移動させ、その後、前記積層体を構成する装飾フィルムの前記外側方向の伸び率を前記所定範囲内の値にほぼ保持するように、それぞれの前記把持部材を前記アプリケーションテープの外縁部を把持した状態で内側方向に所定距離移動させる操作を繰り返す請求項１〜３のいずれかに記載の装飾フィルムの貼り付け方法。
【発明の詳細な説明】
【技術分野】
【０００１】
本発明は、装飾フィルムの貼り付け方法に関し、更に詳しくは、凸曲面を有する被貼付体のその凸曲面に装飾フィルムを貼り付けるときに、装飾フィルムに局部的な歪みが生じるのを防止することができる装飾フィルムの貼り付け方法に関する。
【背景技術】
【０００２】
従来より粘着剤付き装飾フィルムを被貼付体の曲面に貼り付けるときには、スキージ等を用いて手作業で貼り付けていた。この方法では、貼り付け始めは、装飾フィルムを延伸しなくても、しわが生じることもなく問題なく貼り付けられるが、貼り付けが進むに従い、しわが生じるようになってくるため、局部的に延伸しながら貼り付ける必要があった。そのため、装飾フィルムの当該局部的に延伸された部分の形状が歪むという問題があった。また、装飾フィルムを曲面に貼り付けるときには、面積が大きくなるほど上記歪みが大きくなるため、大きな面積の装飾フィルムを使用することは困難であった。そして、この問題は、被貼付体の曲面の曲率が大きくなるほど顕著なものであった。
【０００３】
このような、面積の大きな装飾フィルムを使用するために、所定のフレーム治具を用いて装飾フィルムを被貼付体の曲面に貼り付ける方法が開示されている（例えば、特許文献１参照）。この方法では、被貼付体の曲面の曲率が小さい場合には、ある程度の面積の装飾フィルムを歪みなく貼り付けることができるが、この曲率が大きくなると局部的に形状が歪むことがあった。
【特許文献１】特開平１０−２９８５０２号公報
【発明の開示】
【発明が解決しようとする課題】
【０００４】
本発明は、このような従来技術の有する問題点に鑑みてなされたものであり、その目的とするところは、曲率の大きな凸曲面を有する被貼付体のその凸曲面に装飾フィルムを貼り付けるときに、装飾フィルムに局部的な歪みが生じるのを防止することができ、バイクの燃料タンク部等や自動車のバンパー等の曲面のきつい部分を貼付するのに好適な、装飾フィルムの貼り付け方法を提供することにある。
【課題を解決するための手段】
【０００５】
上記目的を達成するため、本発明によって以下の装飾フィルムの貼り付け方法が提供される。
【０００６】
［１］凸曲面を有する被貼付体の前記凸曲面に、装飾層及び粘着層を有する装飾フィルムを前記粘着層側から貼り付ける装飾フィルムの貼り付け方法であって、前記装飾フィルムを、前記装飾層側から、前記装飾フィルムよりも表面積の大きなアプリケーションテープの表面上の、前記アプリケーションテープの外周よりも内側の領域に位置させて、前記アプリケーションテープの外縁部を露出させた状態で積層した積層体とし、前記アプリケーションテープの外縁部を、所定箇所に固定された把持部材を用いて、前記外縁部の、互いにほぼ等間隔に位置する少なくとも３箇所で把持し、前記把持部材を、前記アプリケーションテープを把持した状態で、前記アプリケーションテープのほぼ中心部分から前記外縁部に向かう方向（外側方向）に移動させることによって、前記積層体を構成する前記装飾フィルムを、前記外側方向の伸び率が全体的にほぼ均等な所定範囲内の値となるように延伸し、前記被貼付体を、延伸された前記積層体を構成する前記装飾フィルムの前記粘着層に向けて移動させるとともに、それぞれの前記把持部材を、前記アプリケーションテープを把持した状態で内側方向に移動させることによって、前記積層体を構成する前記装飾フィルムの前記外側方向の伸び率を前記均等値にほぼ保持した状態で、前記被貼付体の前記凸曲面の先端部を、前記装飾フィルムの前記粘着層の貼り付け対応部分に当接させ、次いで、前記凸曲面の、前記貼り付け対応部分に当接した前記先端部からその隣接部分に向って、前記装飾フィルムの前記粘着層を連続的に貼り付ける装飾フィルムの貼り付け方法。
【０００７】
［２］前記アプリケーションテープの外縁部を、前記把持部材を用いて、前記外縁部の、互いにほぼ等間隔に位置する８箇所で把持する［１］に記載の装飾フィルムの貼り付け方法。
【０００８】
［３］前記積層体を構成する前記装飾フィルムの前記外側方向の伸び率を３〜３０％の値となるように延伸する［１］又は［２］に記載の装飾フィルムの貼り付け方法。
【０００９】
［４］前記被貼付体を、前記装飾フィルムの前記粘着層に向けて所定距離移動させ、その後、前記積層体を構成する装飾フィルムの前記外側方向の伸び率を前記所定範囲内の値にほぼ保持するように、それぞれの前記把持部材を前記アプリケーションテープの外縁部を把持した状態で内側方向に所定距離移動させる操作を繰り返す［１］〜［３］のいずれかに記載の装飾フィルムの貼り付け方法。
【発明の効果】
【００１０】
このように、本発明の装飾フィルムの貼り付け方法によれば、被貼付体の凸曲面に、装飾層及び粘着層を有する装飾フィルムを貼り付けるときに、装飾フィルムの外縁部を、少なくとも３つの把持部材で互いにほぼ等間隔の位置になるように把持し、その把持部材で、装飾フィルムを外側方向の伸び率が全体的にほぼ均等な所定範囲内の値となるように延伸し、被貼付体を延伸された装飾フィルムの粘着層に向けて移動させるとともに、それぞれの把持部材を装飾フィルムを把持した状態で内側方向に移動させることによって、装飾フィルムの外側方向の伸び率を均等値にほぼ保持した状態で、被貼付体の凸曲面に、装飾フィルムの粘着層を連続的に貼り付けるようにしたため、曲率の大きい凸曲面に面積の大きな装飾フィルムを貼り付けるときにも、装飾フィルムに局部的な歪みや、しわが生じるのを防止することができる。これにより、バイクの燃料タンク部等や自動車のバンパー等の、曲面のきつい部分を貼付するのに好適に使用することができる。
【発明を実施するための最良の形態】
【００１１】
次に本発明の実施の形態を図面を参照しながら詳細に説明するが、本発明は以下の実施の形態に限定されるものではなく、本発明の趣旨を逸脱しない範囲で、当業者の通常の知識に基づいて、適宜設計の変更、改良等が加えられることが理解されるべきである。
【００１２】
図１（ａ）、図１（ｂ）は、本発明の装飾フィルムの貼り付け方法の一の実施の形態に使用する貼付装置１を模式的に示し、図１（ａ）は平面図、図１（ｂ）は正面図である。
【００１３】
貼付装置１は、図１（ａ）、図１（ｂ）に示すように、長さの等しい８本の角材を繋ぎ合わせて形成された正八角形の外枠部２と、外枠部２の各辺（角材）に取り付けられ、外枠部２の八角形の中心方向及びその逆方向に移動可能な把持部３と、外枠部２により形成される正八角形の一方の面側（図１（ｂ）において、昇降部５を配置している側）に伸びるように外枠２に配設された脚部４と、被貼付体１００を上下動させるための昇降部５とを備えている。
【００１４】
そして、本実施の形態の装飾フィルムの貼り付け方法は、例えば、このような貼付装置１を使用して、凸曲面１０１を有する被貼付体１００の凸曲面１０１に、装飾層１２（図２（ｂ）参照）及び粘着層１３（図２（ｂ）参照）を有する装飾フィルム１１を、粘着層１３（図２（ｂ）参照）側から貼り付けるものである。ここで、図２（ａ）、図２（ｂ）は、本発明の装飾フィルムの貼り付け方法の一の実施の形態に使用する積層体を模式的に示し、図２（ａ）は平面図、図２（ｂ）は正面図である。
【００１５】
凸曲面１０１に装飾フィルム１１を貼り付ける方法としては、図１（ａ）に示すように、まず、装飾フィルム１１を配設したアプリケーションテープ１４の外縁部１５を、外枠部２に取り付けられて固定された把持部３を構成する把持部材６を用いて、外縁部１５の、互いにほぼ等間隔に位置する８箇所で把持する。装飾フィルム１１は、アプリケーションテープ１４に配設させて積層体１０として使用される。そして、把持部材６を、装飾フィルム１１を配設したアプリケーションテープ１４の外縁部１５を把持した状態で、アプリケーションテープ１４（積層体１０）のほぼ中心部分から外縁部１５に向かう方向（外側方向）Ｐに移動させることによって、積層体１０及び装飾フィルム１１を、外側方向Ｐの伸び率が全体的にほぼ均等な所定範囲内の値となるように延伸する。次に、被貼付体１００を、アプリケーションテープ１４とともに延伸された装飾フィルム１１の粘着層１３（図２（ｂ）参照）に向けて移動させるとともに、８個のそれぞれの把持部材６を、装飾フィルム１１を配設したアプリケーションテープ１４を把持した状態で内側方向Ｑに移動させる。これにより、装飾フィルム１１（積層体１０）の外側方向Ｐの伸び率を上記所定範囲の均等値にほぼ保持した状態で、被貼付体１００の凸曲面１０１の先端部を、装飾フィルム１１の粘着層１３（図２（ｂ）参照）の貼り付け対応部分１６（図２（ｂ）参照）に当接させ、次いで、凸曲面１０１の、貼り付け対応部分１６（図２（ｂ）参照）に当接した先端部からその隣接部分に向って、装飾フィルム１１の粘着層１３（図２（ｂ）参照）を連続的に貼り付けることができる。そして、アプリケーションテープ１４から把持部材６を取り外し、装飾フィルム１１からアプリケーションテープ１４を剥がすことにより、被貼付体１００に装飾フィルム１１を貼り付ける操作が完了する。ここで、装飾フィルムの外側方向の伸び率とは、「延伸する前の装飾フィルムの外側方向上の２点間の距離」と「延伸した後の装飾フィルムの外側方向上の２点間の距離」の差の絶対値を、「延伸する前の装飾フィルムの外側方向上の２点間の距離」で除して１００倍した値である。
【００１６】
このように、本発明の装飾フィルムの貼り付け方法は、被貼付体の凸曲面に、装飾層及び粘着層を有する装飾フィルムを貼り付けるときに、装飾フィルムの外縁部を、少なくとも３つの把持部材で互いにほぼ等間隔の位置になるように把持し、その把持部材で、装飾フィルムを外側方向の伸び率が全体的にほぼ均等な所定範囲内の値となるように延伸し、被貼付体を延伸された装飾フィルムの粘着層に向けて移動させるとともに、それぞれの把持部材を装飾フィルムを把持した状態で内側方向に移動させることによって、装飾フィルムの外側方向の伸び率を均等値にほぼ保持した状態で、被貼付体の凸曲面に、装飾フィルムの粘着層を連続的に貼り付けるようにしたため、曲率の大きい凸曲面に面積の大きな装飾フィルムを貼り付けるときにも、装飾フィルムに局部的な歪みや、しわが生じるのを防止することができる。そして、これにより、本発明の装飾フィルムの貼り付け方法は、バイクの燃料タンク部等や自動車のバンパー等の曲面のきつい部分を貼付するのに好適に使用することができる。
【００１７】
本実施の形態の装飾フィルムの貼り付け方法では、円形の装飾フィルム１１を、図２（ａ）、（ｂ）に示すように、その装飾層１２側から、装飾フィルム１１よりも表面積の大きな円形のアプリケーションテープ１４の表面上の、アプリケーションテープ１４の外周１７よりも内側の領域に位置させて、アプリケーションテープ１４の外縁部１５を露出した状態で積層した積層体１０としている。装飾フィルム１１の形状は、必要に応じた形状とすることができる。アプリケーションフィルム１４の形状は、円形が好ましいが、把持部材６で把持したときに、伸び率を全体に渡ってほぼ均等にすることができれば、円形に限られるものではない。例えば、四角形等の多角形、楕円形、その他不定形とすることができる。このときには、把持部材６により把持する位置はアプリケーションフィルム１４の外縁である必要はない。そして、被貼付体１００（図１（ｂ）参照）を装飾フィルム１１に貼り付けるときには、図１（ａ）に示すように、把持部材６を用いてアプリケーションテープ１４の外縁部１５を把持して、積層体１０を構成する装飾フィルム１１の伸び率が全体的にほぼ均等な所定範囲内の値となるように積層体１０（装飾フィルム１１）を延伸する。これにより、装飾フィルム１１を伸び率が全体的にほぼ均等な所定範囲内の値となるように被貼付体１００に貼り付けることができる。
【００１８】
本実施の形態において、積層体１０を構成する装飾フィルム１１の伸び率の所定の範囲は、３〜３０％であることが好ましい。３％より小さいと、装飾フィルム１１を被貼付体１００に貼り付けたときに、装飾フィルム１１の外周付近にしわが発生したり、無理にそのしわを伸ばすと、局所的に装飾フィルム１１が伸びて歪むことがある。３０％より大きいと、装飾フィルム１１を伸ばし過ぎるため、全体的に薄くなり強度的に弱くなることがある。また、装飾フィルルム１１が全体的に均等に延伸されていることの確認は、目視により、たるみや変形がないことを確認することにより行われる。
【００１９】
装飾フィルム１１としては、従来から使用されている装飾フィルムを使用することができ、例えば、ＰＶＣ（ポリ塩化ビニル）、ウレタン樹脂、アクリル樹脂、アイオノマー樹脂等を使用することができる。装飾フィルム１１の厚さは特に限定されるものではないが、３０〜７０μｍが好ましい。装飾フィルム１１の粘着剤としては、アクリル系粘着剤等を使用することができる。粘着剤の厚さは特に限定されるものではないが、１５〜３０μｍが好ましい。粘着層１３に粘着剤を配設したときには、その粘着剤の表面にほこり等が粘着剤に付着しないように保護用のライナーを配設することが好ましい。装飾フィルム１１を被貼付体１００に貼り付けるときには、このライナーは取り外して使用される。また、装飾フィルム１１の装飾層１２（図２（ｂ）参照）には、通常、インク等により目的に応じた模様、文字等が記載されており、その表面には上記模様、文字等を保護するために、透明な保護フィルムが配設されている。
【００２０】
アプリケーションテープ１４としては、従来から使用されているものを使用することができる。アプリケーションテープの伸長性は、厳しい三次元曲面へのマーキングの適用が可能になるように、大きいことが好ましく、例えば、ＪＩＳ  Ｚ０２３７法で測定して、１５０〜４００％の破断点伸び率を有することが好ましい。アプリケーションテープとして使用できる材料は、例えば、ＰＶＣ（ポリ塩化ビニル）、ＰＥ（ポリエチレン）、ＰＰ（ポリプロピレン）、ＰＥ（ポリエチレン）／ＰＰ（ポリプロピレン）、ウレタンゴム、アクリル樹脂、アイオノマー樹脂等である。アプリケーションテープ１４の一の表面には、装飾フィルム１１に配設するために粘着剤が配設されていることが好ましい。この粘着剤は装飾フィルムに配設するものより粘着力が弱いものが好ましい。例えば、アクリル粘着剤、合成ゴム系粘着剤等を使用することができる。
【００２１】
本実施の形態に使用する貼付装置１においては、図１（ａ）、図１（ｂ）に示すように、外枠部２は、角材によりほぼ正八角形に形成されているが、八角形に限られるものではなく、円形、楕円形、正三角形等の多角形、その他不定形であってもよい。多角形の場合、各辺の長さが等しいことが好ましいが、異なっていてもよい。また、角材は、四角柱であってもよいが、円柱、楕円柱、四角柱以外の多角柱、その他不定形であってもよい。長さ方向に垂直な平面で切断した断面がＨ型やその他特殊な形状であってもよい。また、角材は、中実であってもよいが中空であってもよい。
【００２２】
本実施の形態に使用する貼付装置１においては、把持部３は、把持部材６に回転自在に軸７が取り付けられ、さらに軸７と一体となるようにハンドル８が取り付けられている。つまり、ハンドル８を回転させると、軸７は一体となって回転するが、軸７が回転しても軸７が空回りして把持部材６は回転しないように形成されている。そして、把持部３を外枠部２に取り付ける方法としては、外枠部２の所定の位置に外枠部２を貫通するようにネジ穴を形成し、把持部３の軸７に、そのネジ穴に対応するネジ山を形成し、軸７を外枠部２に形成したネジ穴にはめ込むことにより取り付けている。そして、把持部材６を外枠部２に外側方向Ｐや内側方向Ｑに移動させるときには、ハンドル８を回転させることにより軸７を回転させ、ネジにより回転した分だけ移動させる。このとき、把持部材６と軸７とは上述のように回転自在に取り付けられているため、軸７が回転しても把持部材６は回転せずに装飾フィルム又はアプリケーションテープを把持した状態で移動することができる。
【００２３】
外枠部２の材質としては特に限定されるものではないが、例えば、アルミニウム、アルミニウム合金、鉄、ステンレス等を使用することができる。
【００２４】
本実施の形態で使用する貼付装置１では、外枠部２にネジ穴を形成しているが、外枠部２に、例えば、外枠部２に使用されるものと同様の金属やフッ素樹脂等からなる角柱状のガイド部（図示せず）を取り付け、そこにネジ穴を形成してもよい。
【００２５】
外枠部２に把持部３を取り付けるときの、外枠部２における位置は、隣接する把持部３の間の距離が等しくなるようにすることが好ましい。これにより、把持部材６を外側方向Ｐや内側方向Ｑに移動させたときに、装飾フィルムの伸び率を所定の範囲に保つことがより容易になる。
【００２６】
把持部材６で装飾フィルム１１又はアプリケーションテープ１４を把持するときには、各把持部材６が、外枠部２の八角形の中心を中心とした円周上に配置されることが好ましい。これにより、各把持部材６を外側方向Ｐや内側方向Ｑに移動させるときに、容易に同心円を形成させながら移動させることができるため、装飾フィルムの伸び率を所定の範囲に保つことがより容易になる。さらに、各把持部材６が上記円周上に配置されたときに、その円周上において把持部材６により把持される領域（円周上において把持部材６が存在する比率）は、合計で３０％以上であることが好ましい。３０％より小さいと、装飾フィルムの伸び率を全体的に均一にすることが容易でなくなることがある。さらに、把持部材６の上記円周方向の長さは、全てがほぼ同一であることが好ましい。
【００２７】
把持部材６で装飾フィルム１１又はアプリケーションテープ１４を把持するときには、把持部材６を３以上使用する。２以下では、積層体１０を構成する装飾フィルム１１が特定方向だけに延伸され、全体に均一に延伸されない。使用する把持部材６の数は、６以上が好ましい。６より少ないと、延伸の状態が均一になり難いことがある。
【００２８】
把持部材６の形状は、バネの力によりアプリケーションテープの両面から挟み込むクリップ状のものや、アプリケーションテープの両面に一枚ずつのゴム状の板を配置させ、その二枚の板をボルト締め等することによりアプリケーションテープを把持するものとすることができる。上記ゴム状の板を使用するときには、さらに二枚の金属又は合成樹脂の板を、上記二枚のゴム状の板をその外側から挟むようにして配置させ、全体をボルト締め等により締め付けて把持してもよい。この場合、ゴム上の板は一枚であってもよい。上記ゴム状の板は板である必要はなく、棒状のものや、フィルム状のものであってもよい。ゴム状の板を使用することにより、アプリケーションテープを強く把持することができ、さらに傷つけたり、破ったりしないため好ましい。
【００２９】
軸７及びハンドル８の材質は、特に限定されるものではなく、例えば、アルミニウム、アルミニウム合金、鉄、ステンレス、フッ素樹脂等を使用することができる。
【００３０】
本実施の形態に使用する貼付装置１においては、図１（ａ）、図１（ｂ）に示すように、外枠部２には、外枠部２を形成している角材から形成される脚部４が４本配設されている。これにより、外枠部２が地面から所定の高さに位置するようにし、その下に、被貼付体１００を配置させることができる。また、被貼付体１００は、昇降部５の上に配置させる。図１（ｂ）に示す昇降部５は、手動で上下するジャッキであるが、自動（電動等）で上下する昇降機であってもよい。
【００３１】
本実施の形態の装飾フィルムの貼り付け方法について、図３（ａ）〜図３（ｃ）によって、さらに詳細に説明する。図３（ａ）〜図３（ｃ）は、装飾フィルムを被貼付体に貼り付ける過程を示した模式図であり、積層体のアプリケーションテープを把持部材で把持し、被貼付体を昇降部により上昇させる様子を示した正面図である。貼付装置としては、上述した図１（ａ）、図１（ｂ）に示すものを使用し、積層体としては、上述した図２（ａ）、図２（ｂ）に示すものを使用した。
【００３２】
図３（ａ）は、積層体１０のアプリケーションフィルム１４を把持部材６で把持し、被貼付体１００を昇降部５の上に配置して、被貼付体１００の凸曲面１０１を装飾フィルム１１の貼り付け対応部分に当接させた状態を示す。
【００３３】
この状態から、図１（ａ）に示すハンドル８を手で回転させ、全ての把持部材６を一つずつ順番に外側方向Ｐにほぼ同じ距離だけ移動させ、積層体１０の外側方向Ｐの伸び率が全体的にほぼ均等な所定範囲内の値となるようにする。そして、図３（ａ）に示すように、被貼付体１００の凸曲面１０１の先端部を装飾フィルム１１の粘着層１３の貼り付け対応部分１６に当接させる。把持部材６を外側方向Ｐに移動させるときには、全ての把持部材６を同時に移動させてもよい。
【００３４】
次に、図３（ｂ）に示すように、昇降部５の上に配置させた被貼付体１００を、昇降部５を手動で所定高さ上昇させることにより、所定高さだけ上昇させ、粘着層１３に向かって所定距離移動させる。その後、積層体１０を構成する装飾フィルム１１の上記外側方向Ｐの伸び率を上記所定範囲内の値にほぼ保持するように、それぞれの把持部材６でアプリケーションテープ１４の外縁部１５を把持した状態で、把持部３のハンドル８を手で回転させることにより、把持部材６を内側方向Ｑに所定距離移動させる。これにより、上記凸曲面１０１の貼り付け対応部分１６に当接した先端部からその隣接部分に向かって、装飾フィルム１１の粘着層１３が連続的に貼り付く。そして、上記、昇降部５を所定高さだけ上昇させ、把持部材６を内側方向Ｑに所定距離移動させるという操作を繰り返すことにより、図３（ｃ）に示すように、積層体１０に配設された装飾フィルム１１の全体が凸曲面１０１に貼り付く。そして、アプリケーションテープ１４から把持部材６を取り外し、装飾フィルム１１からアプリケーションテープ１４を剥がすことにより、被貼付体１００に装飾フィルム１１を貼り付けることができる。
【００３５】
本実施の形態の装飾フィルムの貼り付け方法は、図１（ａ）、図１（ｂ）に示す貼付装置１を使用して、手動で把持部と昇降部とを交互に動かすことにより、装飾フィルムを被貼付体に貼り付けたが、複数の人間により、手動で把持部の移動と昇降部の動作を同時に行うことが好ましい。これにより、さらに装飾フィルムに局部的な歪み、しわ等が生じるのを防止することができる。さらに、把持部の移動と昇降部の動作を、コンピュータ等の制御により、自動（電動等）で行うことがさらに好ましい。これにより、さらに装飾フィルムに局部的な歪みが生じるのを防止することができる。
【実施例】
【００３６】
（実施例１〜３、比較例１）
図１（ａ）、図１（ｂ）に示す貼付装置１を作成した。外枠部２及び脚部４はアルミニウム製の断面正方形（一辺略３ｃｍ）の角材を使用して、ボルト締めにより組み立てた。外枠部２は対向する二辺間の距離が４０ｃｍの略正八角形に形成した。外枠部２の各辺の中央部には、フッ素樹脂を板状に形成したガイド部（図示せず）をボルト締めにより装着した。ガイド部（図示せず）はその半分が脚部４が装着されている側に対して反対側に突出させるように装着した。ガイド部（図示せず）の上記突出させた部分には、外枠部２の正八角形の中心を向くようにガイド部（図示せず）を貫通するネジ穴を形成した。次に、ガイド部（図示せず）のネジ穴に、把持部３を装着し、把持部材６が外枠部２の外側方向Ｐと内側方向Ｑにそれぞれ移動できるようにした。図１（ａ）、図１（ｂ）では、外枠部２にネジ穴を形成して、そこに把持部３を装着しているが、本実施例においては、ガイド部（図示せず）にネジ穴を形成して、そこに把持部３を装着した。把持部３のハンドル８はフッ素樹脂で作製し、軸７はステンレスで作製した。軸７は、ガイド部（図示せず）のネジ穴に対応するネジ山が形成された円柱とし、このネジに沿って軸７が回転することにより、把持部材６が移動するようにした。そして、把持部３の把持部材６は、半径１５ｃｍの円周に沿うように湾曲させたフッ素樹脂製の板を使用し、上下からアプリケーションフィルム１４を挟みボルト締めすることにより把持するものとした。把持部材６のアプリケーションフィルム１４と接触する部分には板状のゴムを配設した。把持部材６の上記円周方向の長さを１１ｃｍとし、八個の把持部材６の上記円周方向の長さの合計が、８８ｃｍとなるようにした。昇降部５としては、実験室での実験に使用する手動のジャッキを使用した。
【００３７】
装飾フィルム１１は、アプリケーションフィルム１４に配設させて積層体１０として使用した。装飾フィルム１１としては、厚さ５０μｍのポリ塩化ビニルフィルムにアクリル系粘着剤を３０μｍ積層したものを使用した。また、アプリケーションフィルム１４としては、半径１６ｃｍの円形の厚さ１００μｍのポリ塩化ビニルフィルムにアクリル系粘着剤を１５μｍ積層したフィルムを使用し、その中心部分に半径８ｃｍの装飾フィルム１１の装飾層を貼り付けた。
【００３８】
被貼付体１００は半径１０ｃｍのアクリルメラミン樹脂を塗装した鋼鉄製の球体を使用した。
【００３９】
上述の貼付装置１に積層体１０をセットし（アプリケーションテープ１４の外縁部１５を把持部材６で把持し）、昇降部５に被貼付体１００を配置し、装飾フィルム１１の貼り付け方法についての試験（装飾フィルムの貼り付け試験）を行った。
【００４０】
装飾フィルムの貼り付け試験の操作としては、まず、ハンドル８を手で回転させ、把持部材６を外側方向Ｐに移動させ、積層体１０を構成する装飾フィルム１１の外側方向Ｐの伸び率が全体的にほぼ均等な所定範囲内の値となるようにする。そして、被貼付体１００の凸曲面１０１の先端部を装飾フィルム１１の粘着層の貼り付け対応部分１６に当接させる。
【００４１】
次に、昇降部５の上に配置させた被貼付体１００を、昇降部５を手動で所定高さ上昇させることにより、所定高さだけ上昇させ、粘着層に向かって所定距離移動させる。その後、積層体１０を構成する装飾フィルム１１の上記外側方向の伸び率を上記所定範囲内の値にほぼ保持するように、それぞれの把持部材６でアプリケーションテープ１４の外縁部１５を把持した状態で、把持部３のハンドル８を手で回転させることにより、把持部材６を内側方向に所定距離移動させる。これにより、上記凸曲面１０１の貼り付け対応部分に当接した先端部からその隣接部分に向かって、装飾フィルム１１の粘着層が連続的に貼り付く。ここで、積層体１０と装飾フィルム１１の伸び率は同一となる。そして、この操作を繰り返すことにより、積層体１０に配設された装飾フィルム１１の全体が凸曲面１０１に貼り付く。そして、アプリケーションテープ１４から把持部材６を取り外し、装飾フィルム１１からアプリケーションテープ１４を剥がすことにより、被貼付体１００に装飾フィルム１１を貼り付けた状態となる。
【００４２】
装飾フィルムの貼り付け試験としては、アプリケーションテープ１４の外縁部１５を把持部材６で把持し、外枠部２の外側方向に移動させたときの伸び率を、０％、３％、３０％及び４０％（比較例１、実施例１、実施例２、実施例３）と変化させ、そのときの、貼付体１００に貼り付いた装飾フィルム１１の、歪み及びしわを目視で確認した。ここで、伸び率とは、「積層体を把持部材で把持する前の装飾フィルムの直径」と「積層体を外枠部の外側方向に延伸させたときの装飾フィルムの直径」の差の絶対値を、「積層体を把持部材で把持する前の装飾フィルムの直径」で除して１００倍した値である。結果を表１に示す。表１において、歪み、しわのそれぞれが全くない場合を○、歪み、しわのそれぞれが僅かにあるが、ほぼ良好な貼り付け状態である場合を△、歪み、しわのそれぞれが大きい場合を×とした。
【００４３】
（実施例４、比較例２）
把持部材の上記円周方向の長さを３ｃｍとした以外は、上記実施例１の装飾フィルムの貼り付け方法の試験に使用した貼付装置と同様の貼付装置を作製した。
【００４４】
装飾フィルムの貼り付け試験としては、上記実施例１で使用した積層体１０と同様の積層体を使用し、上記実施例１と同様の方法で試験を行った。試験の条件としては、アプリケーションテープ１４の外縁部１５を把持部材６で把持し、外枠部２の外側方向に移動させたときの伸び率を、０％、３％（比較例２、実施例４）と変化させ、そのときの、貼付体１００に貼り付いた装飾フィルム１１の、歪み及びしわを目視で確認した。結果を表１に示す。
【００４５】
【表１】
2005054057.tif 000003
【００４６】
表１より、装飾フィルムを所定の伸び率で延伸させた状態を保ちながら貼付体に貼り付けた、実施例１〜４は、歪み及びしわが発生し難く、延伸させずに装飾フィルムを貼付体に貼り付けた比較例１，２は、歪みが発生し易いことが分かる。比較例１，２でしわが発生していないのは、しわになる部分を無理に延伸してしわを無くしたところ、無理な延伸により歪みが生じた結果と考えられる。また、実施例３より、しわを全くない状態にするためには、伸び率を大きくし過ぎないほうがよいことがわかる。また、実施例１と実施例４との比較により、把持部材でアプリケーションフィルムを把持するときの幅（円周方向の長さ）は、長いほうが歪みが発生し難いことがわかる。
【産業上の利用可能性】
【００４７】
本発明の装飾フィルムの貼り付け方法は、バイクの燃料タンク部等や自動車のバンパー等の、曲率の大きな凸曲面を有する被貼付体のその凸曲面に装飾フィルムを貼り付けるときに利用することができ、これにより本装飾フィルムに局部的な歪みが生じるのを防止することができる。
【図面の簡単な説明】
【００４８】
【図１】本発明の装飾フィルムの貼り付け方法の一の実施の形態に使用する貼付装置１を模式的に示し、図１（ａ）は平面図、図１（ｂ）は正面図である。
【図２】本発明の装飾フィルムの貼り付け方法の一の実施の形態に使用する積層体を模式的に示し、図２（ａ）は平面図、図２（ｂ）は正面図である。
【図３】図３（ａ）〜図３（ｃ）は、本発明の装飾フィルムの貼り付け方法の一の実施の形態において、装飾フィルムを被貼付体に貼り付ける過程を示した模式図である。
【符号の説明】
【００４９】
１…貼付装置、２…外枠部、３…把持部、４…脚部、５…昇降部、６…把持部材、７…軸、８…ハンドル、１０…積層体、１１…装飾フィルム、１２…装飾層、１３…粘着層、１４…アプリケーションテープ、１５…外縁部、１６…貼り付け対応部分、１７…外周、１００…被貼付体、１０１…凸曲面、Ｐ…外側方向、Ｑ…内側方向。
【図１】
2005054057.tif 000004
【図２】
2005054057.tif 000005
【図３】
2005054057.tif 000006